(57)【要約】【課題】視度調整機能を有し、小型化および高角倍率を両立し、良好な光学性能を保持するファインダー、およびこのファインダーを備えた撮像装置を提供する。【解決手段】ファインダーは、物体側からアイポイント側へ順に、負の対物レンズ群と、正の接眼レンズ群とを備える。接眼レンズ群は、物体側からアイポイント側へ順に、負の第１レンズと、正の第２レンズと、負の第３レンズとからなる。視度調整の際に第２レンズのみが移動する。ファインダーは予め定められた条件式を満足する。【選択図】図１
2020194127.tif 000002
【特許請求の範囲】
【請求項１】
物体側からアイポイント側へ順に、負の屈折力を有する対物レンズ群と、正の屈折力を有する接眼レンズ群とを備えた逆ガリレオ式のファインダーであって、
前記対物レンズ群から前記接眼レンズ群までの観察光学系における空気換算長でのレンズ間隔の中で、前記対物レンズ群と前記接眼レンズ群とを隔てるレンズ間隔が最長であり、
前記接眼レンズ群は、物体側からアイポイント側へ順に、負の屈折力を有する第１レンズと、正の屈折力を有する第２レンズと、負の屈折力を有する第３レンズとからなり、
視度調整の際に、前記第１レンズおよび前記第３レンズはアイポイントに対して固定され、前記第２レンズが光軸に沿って移動し、
視度が−１ディオプターの状態における前記観察光学系の角倍率をＭ、
前記第３レンズの焦点距離をｆ３、
前記対物レンズ群の光軸上の厚みと、前記接眼レンズ群の光軸上の厚みと、前記対物レンズ群の最もアイポイント側のレンズ面から前記接眼レンズ群の最も物体側のレンズ面までの光軸上の空気換算長との和をＡＬとした場合、
０．０１＜−（Ｍ／ｆ３）×ＡＬ＜０．１６    （１）
で表される条件式（１）を満足するファインダー。
【請求項２】
前記第２レンズの焦点距離をｆ２とした場合、
１＜ＡＬ／ｆ２＜２    （２）
で表される条件式（２）を満足する請求項１に記載のファインダー。
【請求項３】
前記接眼レンズ群の焦点距離をｆＰとした場合、
０．１５＜−ｆＰ／ｆ３＜０．４５    （３）
で表される条件式（３）を満足する請求項１又は２に記載のファインダー。
【請求項４】
前記第３レンズのｄ線に対する屈折率をＮｄＬｂ３とした場合、
１．４８＜ＮｄＬｂ３＜１．６６    （４）
で表される条件式（４）を満足する請求項１から３のいずれか１項に記載のファインダー。
【請求項５】
前記対物レンズ群の焦点距離をｆＮとした場合、
０．０５＜ｆＮ／ｆ３＜０．２５    （５）
で表される条件式（５）を満足する請求項１から４のいずれか１項に記載のファインダー。
【請求項６】
前記観察光学系の光路外に、表示素子を備えた前記観察光学系とは別の光学系を有し、
前記別の光学系の光路と前記観察光学系の光路とを合成する光路合成部材を、前記対物レンズ群と前記接眼レンズ群との間に有する請求項１から５のいずれか１項に記載のファインダー。
【請求項７】
前記対物レンズ群の焦点距離をｆＮ、
前記対物レンズ群の最も物体側の面から前記光路合成部材の最も物体側の面までの光軸上の距離をＢＬとした場合、
−５．５＜ｆＮ／ＢＬ＜−１．５    （６）
で表される条件式（６）を満足する請求項６に記載のファインダー。
【請求項８】
前記別の光学系は、２枚の正の屈折力を有するレンズと、１枚の負の屈折力を有するレンズとからなる３枚のレンズのみをレンズとして備える請求項６又は７に記載のファインダー。
【請求項９】
０．０２＜−（Ｍ／ｆ３）×ＡＬ＜０．１５    （１−１）
で表される条件式（１−１）を満足する請求項１に記載のファインダー。
【請求項１０】
１．２＜ＡＬ／ｆ２＜１．８    （２−１）
で表される条件式（２−１）を満足する請求項２に記載のファインダー。
【請求項１１】
０．２＜−ｆＰ／ｆ３＜０．４  （３−１）
で表される条件式（３−１）を満足する請求項３に記載のファインダー。
【請求項１２】
１．５＜ＮｄＬｂ３＜１．６４    （４−１）
で表される条件式（４−１）を満足する請求項４に記載のファインダー。
【請求項１３】
０．１＜ｆＮ／ｆ３＜０．２    （５−１）
で表される条件式（５−１）を満足する請求項５に記載のファインダー。
【請求項１４】
−５＜ｆＮ／ＢＬ＜−２    （６−１）
で表される条件式（６−１）を満足する請求項７に記載のファインダー。
【請求項１５】
請求項１から１４のいずれか１項に記載のファインダーを備えた撮像装置。
【発明の詳細な説明】
【技術分野】
【０００１】
本開示は、ファインダー、および撮像装置に関する。
【背景技術】
【０００２】
従来、カメラ等のファインダーとして、逆ガリレオ式のファインダーが知られている。例えば、下記特許文献１および特許文献２には、負の屈折力を有する対物レンズ群と、正の屈折力を有する接眼レンズ群とを備えたファインダーが開示されている。
【先行技術文献】
【特許文献】
【０００３】
【特許文献１】特開２０１２−０４２５６９号公報
【特許文献２】特許第６３６３５７０号明細書
【発明の概要】
【発明が解決しようとする課題】
【０００４】
視認性向上のために、視度調整が可能であり、高い角倍率を有するファインダーが要望されている。また、撮像装置の小型化に伴い、ファインダーの小型化も要望されている。特に、レンズを移動させて視度調整を行うファインダーは視度調整の際のレンズの移動量が抑えられ、小型に構成可能なことが求められている。
【０００５】
特許文献１には視度調整の具体的な方法に関する記載はない。特許文献２に記載の光学系は、小型化と高角倍率との両立を進める上で改良の余地がある。
【０００６】
本開示は、上記事情に鑑みなされたものであり、視度調整機能を有し、小型化および高角倍率を両立し、良好な光学性能を保持するファインダー、およびこのファインダーを備えた撮像装置を提供することを目的とする。
【課題を解決するための手段】
【０００７】
本開示の一態様に係るファインダーは、物体側からアイポイント側へ順に、負の屈折力を有する対物レンズ群と、正の屈折力を有する接眼レンズ群とを備えた逆ガリレオ式のファインダーであって、対物レンズ群から接眼レンズ群までの観察光学系における空気換算長でのレンズ間隔の中で、対物レンズ群と接眼レンズ群とを隔てるレンズ間隔が最長であり、接眼レンズ群は、物体側からアイポイント側へ順に、負の屈折力を有する第１レンズと、正の屈折力を有する第２レンズと、負の屈折力を有する第３レンズとからなり、視度調整の際に、第１レンズおよび第３レンズはアイポイントに対して固定され、第２レンズが光軸に沿って移動し、視度が−１ディオプターの状態における観察光学系の角倍率をＭ、第３レンズの焦点距離をｆ３、対物レンズ群の光軸上の厚みと、接眼レンズ群の光軸上の厚みと、対物レンズ群の最もアイポイント側のレンズ面から接眼レンズ群の最も物体側のレンズ面までの光軸上の空気換算長との和をＡＬとした場合、下記条件式（１）を満足する。
０．０１＜−（Ｍ／ｆ３）×ＡＬ＜０．１６    （１）
【０００８】
上記態様のファインダーは、下記条件式（１−１）を満足することが好ましい。
０．０２＜−（Ｍ／ｆ３）×ＡＬ＜０．１５    （１−１）
【０００９】
上記態様のファインダーは、対物レンズ群の光軸上の厚みと、接眼レンズ群の光軸上の厚みと、対物レンズ群の最もアイポイント側のレンズ面から接眼レンズ群の最も物体側のレンズ面までの光軸上の空気換算長との和をＡＬ、第２レンズの焦点距離をｆ２とした場合、下記条件式（２）を満足することが好ましく、下記条件式（２−１）を満足することがより好ましい。
１＜ＡＬ／ｆ２＜２    （２）
１．２＜ＡＬ／ｆ２＜１．８    （２−１）
【００１０】
上記態様のファインダーは、接眼レンズ群の焦点距離をｆＰ、第３レンズの焦点距離をｆ３とした場合、下記条件式（３）を満足することが好ましく、下記条件式（３−１）を満足することがより好ましい。
０．１５＜−ｆＰ／ｆ３＜０．４５    （３）
０．２＜−ｆＰ／ｆ３＜０．４  （３−１）
【００１１】
上記態様のファインダーは、第３レンズのｄ線に対する屈折率をＮｄＬｂ３とした場合、下記条件式（４）を満足することが好ましく、下記条件式（４−１）を満足することがより好ましい。
１．４８＜ＮｄＬｂ３＜１．６６    （４）
１．５＜ＮｄＬｂ３＜１．６４    （４−１）
【００１２】
上記態様のファインダーは、対物レンズ群の焦点距離をｆＮ、第３レンズの焦点距離をｆ３とした場合、下記条件式（５）を満足することが好ましく、下記条件式（５−１）を満足することがより好ましい。
０．０５＜ｆＮ／ｆ３＜０．２５    （５）
０．１＜ｆＮ／ｆ３＜０．２    （５−１）
【００１３】
上記態様のファインダーは、観察光学系の光路外に、表示素子を備えた観察光学系とは別の光学系を有し、別の光学系の光路と観察光学系の光路とを合成する光路合成部材を、対物レンズ群と接眼レンズ群との間に有するように構成してもよい。
【００１４】
上記態様のファインダーが、上記別の光学系および上記光路合成部材を有する構成において、対物レンズ群の焦点距離をｆＮ、対物レンズ群の最も物体側の面から光路合成部材の最も物体側の面までの光軸上の距離をＢＬとした場合、下記条件式（６）を満足することが好ましく、下記条件式（６−１）を満足することがより好ましい。
−５．５＜ｆＮ／ＢＬ＜−１．５    （６）
−５＜ｆＮ／ＢＬ＜−２    （６−１）
【００１５】
上記態様のファインダーが、上記別の光学系および上記光路合成部材を有する場合、別の光学系は、２枚の正の屈折力を有するレンズと、１枚の負の屈折力を有するレンズとからなる３枚のレンズのみをレンズとして備えることが好ましい。
【００１６】
本開示の別の態様に係る撮像装置は、本開示の上記態様に係るファインダーを備えている。
【００１７】
なお、本明細書の「〜からなり」、「〜からなる」は、挙げられた構成要素以外に、実質的に屈折力を有しないレンズ、並びに、絞り、フィルタ、およびカバーガラス等のレンズ以外の光学要素、並びに、レンズフランジ、レンズバレル、および撮像素子等が含まれていてもよいことを意図する。
【００１８】
なお、本明細書の「正の屈折力を有する〜群」は、群全体として正の屈折力を有することを意味する。同様に「負の屈折力を有する〜群」は、群全体として負の屈折力を有することを意味する。「正の屈折力を有するレンズ」と「正レンズ」とは同義である。「負の屈折力を有するレンズ」と「負レンズ」とは同義である。「〜レンズ群」は、複数のレンズからなる構成に限らず、１枚のみのレンズからなる構成としてもよい。
【００１９】
複合非球面レンズ（球面レンズと、その球面レンズ上に形成された非球面形状の膜とが一体的に構成されて、全体として１つの非球面レンズとして機能するレンズ）は、接合レンズとは見なさず、１枚のレンズとして扱う。非球面を含むレンズに関する、屈折力の符号および面形状は、特に断りが無い限り、近軸領域で考えることにする。
【００２０】
条件式で用いている「焦点距離」は近軸焦点距離である。条件式で用いている「光軸上の距離」および「光軸上の厚み」は特に断りが無い限り、空気換算長ではなく幾何学的長さで考えることにする。条件式で用いている値は、ｄ線を基準とした場合の値である。本明細書に記載の「ｄ線」、「Ｃ線」、および「Ｆ線」は輝線であり、ｄ線の波長は５８７．５６ｎｍ（ナノメートル）、Ｃ線の波長は６５６．２７ｎｍ（ナノメートル）、Ｆ線の波長は４８６．１３ｎｍ（ナノメートル）である。
【発明の効果】
【００２１】
本開示によれば、視度調整機能を有し、小型化および高角倍率を両立し、良好な光学性能を保持するファインダー、およびこのファインダーを備えた撮像装置を提供することができる。
【図面の簡単な説明】
【００２２】
【図１】本開示の一実施形態に係るファインダーの構成を示す断面図である。
【図２】本開示の実施例１のファインダーの観察光学系の構成を示す断面図である。
【図３】本開示の実施例１のファインダーの表示光学系の構成を示す断面図である。
【図４】本開示の実施例２のファインダーの観察光学系の構成を示す断面図である。
【図５】本開示の実施例２のファインダーの表示光学系の構成を示す断面図である。
【図６】本開示の実施例３のファインダーの観察光学系の構成を示す断面図である。
【図７】本開示の実施例３のファインダーの表示光学系の構成を示す断面図である。
【図８】本開示の実施例４のファインダーの観察光学系の構成を示す断面図である。
【図９】本開示の実施例４のファインダーの表示光学系の構成を示す断面図である。
【図１０】本開示の実施例５のファインダーの観察光学系の構成を示す断面図である。
【図１１】本開示の実施例５のファインダーの表示光学系の構成を示す断面図である。
【図１２】本開示の実施例１のファインダーの観察光学系の各収差図である。
【図１３】本開示の実施例２のファインダーの観察光学系の各収差図である。
【図１４】本開示の実施例３のファインダーの観察光学系の各収差図である。
【図１５】本開示の実施例４のファインダーの観察光学系の各収差図である。
【図１６】本開示の実施例５のファインダーの観察光学系の各収差図である。
【図１７】本開示の一実施形態に係る撮像装置の背面側の斜視図である。
【発明を実施するための形態】
【００２３】
以下、本開示の実施形態について図面を参照して詳細に説明する。図１に、本開示の一実施形態に係るファインダー１の光軸Ｚを含む断面における構成を示す。図１に示す例は後述の実施例１に対応している。図１では、左側が物体側、右側がアイポイント側である。なお、図１に示すアイポイントＥＰは、形状を示しているのではなく、光軸上の位置を示している。
【００２４】
図１に示すファインダー１は、逆ガリレオ式のファインダーであり、光軸Ｚに沿って物体側からアイポイント側へ順に、負の屈折力を有する対物レンズ群２と、正の屈折力を有する接眼レンズ群３とを備えている。図１では、対物レンズ群２と接眼レンズ群３との間に光路合成部材５が配置され、接眼レンズ群３とアイポイントＥＰの間にカバーガラスＣＧ１が配置された例を示す。光路合成部材５およびカバーガラスＣＧ１は屈折力を有しない光学部材である。以下では、対物レンズ群２から接眼レンズ群３までの光路に沿って配置された光学部材からなる光学系を観察光学系４と称する。すなわち、図１の例における観察光学系４は、対物レンズ群２と、光路合成部材５と、接眼レンズ群３とからなる。図１の例では、物体からの光は、観察光学系４、およびカバーガラスＣＧ１を経由してアイポイントＥＰへ入射する。
【００２５】
対物レンズ群２と接眼レンズ群３とは、観察光学系４における空気換算長でのレンズ間隔の中で、対物レンズ群２と接眼レンズ群３とを隔てるレンズ間隔が最長となるように配置される。なお、ここでいう「空気換算長でのレンズ間隔」は、光軸方向で隣り合うレンズとレンズの空気換算長での間隔であり、レンズとレンズの間に屈折力を有しない部材が配置されている場合は、その部材を空気に換算して扱う。
【００２６】
図１の対物レンズ群２は、一例として、物体側からアイポイント側へ順に、負の屈折力を有するレンズＬａ１と、負の屈折力を有するレンズＬａ２との２枚のレンズからなる。
【００２７】
接眼レンズ群３は、物体側からアイポイント側へ順に、負の屈折力を有する第１レンズＬｂ１と、正の屈折力を有する第２レンズＬｂ２と、負の屈折力を有する第３レンズＬｂ３との３枚のレンズからなる。視度調整の際に、第１レンズＬｂ１および第３レンズＬｂ３はアイポイントＥＰに対して固定されており、第２レンズＬｂ２が光軸Ｚに沿って移動する。すなわち、ファインダー１では第２レンズＬｂ２のみを移動させることによって視度調整が行われる。
【００２８】
正の屈折力を有する接眼レンズ群３を上記のように構成することによって、正レンズである第２レンズＬｂ２の屈折力を強くすることができる。そして、この第２レンズＬｂ２を移動させて視度調整を行うことによって、視度調整量あたりの移動量を抑えることが可能となる。また、接眼レンズ群３を構成するレンズの屈折力の符号を物体側から順に、負、正、負の配列順にすることによって、対物レンズ群２と接眼レンズ群３との間隔を確保しつつ、光学系の外径方向のサイズを抑えることに有利となる。したがって、ファインダー１は、適度な大きさの視度調整量を確保しながら小型化を図ることに有利な構成となっている。
【００２９】
より具体的には、第１レンズＬｂ１はアイポイント側に凹面を向けた形状とすることが好ましく、このようにした場合は像面湾曲の補正が容易となる。第２レンズＬｂ２は強い屈折力を確保するため両凸レンズとすることが好ましい。より良好な光学性能を得るために第３レンズＬｂ３は非球面レンズとしてもよい。
【００３０】
なお、ファインダー１は図１に示すように、観察光学系４の光路外に観察光学系４とは別の光学系を備え、この別の光学系の光路と観察光学系４の光路とを合成する光路合成部材５を対物レンズ群２と接眼レンズ群３との間に備えてもよい。図１では光路合成部材５としてハーフプリズムを用いた例を示す。ハーフプリズムは、入射光を透過光と反射光に分割する膜を含んで構成される。
【００３１】
別の光学系は、表示素子６を備えることが好ましい。一例として、図１に示す別の光学系は、光路合成部材側から順に、素子側レンズ群７と、カバーガラスＣＧ２と、表示素子６とからなる。表示素子６は例えば、液晶素子、および有機ＥＬ（Ｅｌｅｃｔｒｏ−Ｌｕｍｉｎｅｓｃｅｎｃｅ）素子等である。表示素子６は、視野枠、測距エリア、撮影条件、各種情報、撮影済みの画像等の少なくとも１つを表示する。カバーガラスＣＧ２は屈折力を有しない光学部材である。
【００３２】
表示素子６からの光は、カバーガラスＣＧ２、および素子側レンズ群７を経由して光路合成部材５へ入射し、光路合成部材５で光路を折り曲げられた後、接眼レンズ群３、およびカバーガラスＣＧ１を経由してアイポイントＥＰへ入射する。このように、別の光学系の光路を観察光学系４の光路に合成させることによって、観察光学系４による観察像に視野枠および各種情報等を重畳して表示させることが可能になる。以下では、表示素子６から接眼レンズ群３までの光路に沿って配置された部材からなる光学系を表示光学系と称する。観察光学系の光路を光学ビューファインダーの光路として用い、表示光学系の光路を電子ビューファインダーの光路として用い、ハイブリッドファインダー（登録商標）を構成することができる。
【００３３】
別の光学系は、２枚の正の屈折力を有するレンズと、１枚の負の屈折力を有するレンズとの３枚のレンズのみをレンズとして備えることが好ましい。このようにした場合は、表示光学系に含まれるレンズ系において、すなわち、図１の例では素子側レンズ群７と接眼レンズ群３とを合わせたレンズ系において、負レンズの枚数と正レンズの枚数とが同じになり、別の光学系における諸収差の補正が容易になる。図１の例の素子側レンズ群７は、表示素子側から順に、正の屈折力を有するレンズＬｃ１と、負の屈折力を有するレンズＬｃ２と、正の屈折力を有するレンズＬｃ３とからなる。
【００３４】
次に、条件式に関する構成について説明する。ファインダー１は、視度が−１ディオプターの状態における観察光学系４の角倍率をＭ、第３レンズＬｂ３の焦点距離をｆ３、対物レンズ群２の光軸上の厚みと、接眼レンズ群３の光軸上の厚みと、対物レンズ群２の最もアイポイント側のレンズ面から接眼レンズ群３の最も物体側のレンズ面までの光軸上の空気換算長との和をＡＬとした場合、下記条件式（１）を満足する。なお、観察光学系４の角倍率Ｍがファインダー１の角倍率となる。条件式（１）の対応値が下限以下とならないようにすることによって、角倍率を十分に確保することが容易になる。条件式（１）の対応値が上限以上とならないようにすることによって、第３レンズＬｂ３の屈折力が強くなり過ぎないため、球面収差の補正が過剰になるのを抑制でき、また、光軸方向の小型化に有利となる。さらに、下記条件式（１−１）を満足する構成とすれば、より良好な特性とすることができる。
０．０１＜−（Ｍ／ｆ３）×ＡＬ＜０．１６    （１）
０．０２＜−（Ｍ／ｆ３）×ＡＬ＜０．１５    （１−１）
【００３５】
ファインダー１は、第２レンズＬｂ２の焦点距離をｆ２とした場合、ｆ２と上記ＡＬとに関して下記条件式（２）を満足することが好ましい。条件式（２）の対応値が下限以下とならないようにすることによって、第２レンズＬｂ２の屈折力が弱くなり過ぎないため、視度調整量あたりの第２レンズＬｂ２の移動量を小さくすることができ、小型化に有利となる。条件式（２）の対応値が上限以上とならないようにすることによって、第２レンズＬｂ２の屈折力が強くなり過ぎないため、視度調整の際の収差変動の抑制が容易になる。さらに、下記条件式（２−１）を満足する構成とすれば、より良好な特性とすることができる。
１＜ＡＬ／ｆ２＜２    （２）
１．２＜ＡＬ／ｆ２＜１．８    （２−１）
【００３６】
ファインダー１は、接眼レンズ群の焦点距離をｆＰ、第３レンズＬｂ３の焦点距離をｆ３とした場合、下記条件式（３）を満足することが好ましい。条件式（３）の対応値が下限以下とならないようにすることによって、接眼レンズ群３の屈折力が強くなり過ぎないため、角倍率が過剰に大きくなることがなく、径方向の小型化に有利となる。条件式（３）の対応値が上限以上とならないようにすることによって、第３レンズＬｂ３の屈折力が強くなり過ぎないため、球面収差の補正が過剰になるのを抑制できる。さらに、下記条件式（３−１）を満足する構成とすれば、より良好な特性とすることができる。
０．１５＜−ｆＰ／ｆ３＜０．４５    （３）
０．２＜−ｆＰ／ｆ３＜０．４  （３−１）
【００３７】
また、ファインダー１は、第３レンズＬｂ３のｄ線に対する屈折率をＮｄＬｂ３とした場合、下記条件式（４）を満足することが好ましい。条件式（４）の対応値が下限以下とならないようにすることによって、第３レンズＬｂ３の曲率半径の絶対値が小さくなるのを抑制できるため、光軸方向の小型化に有利となる。条件式（４）の対応値が上限以上とならないようにすることによって、第３レンズＬｂ３の屈折力が強くなり過ぎないため、球面収差の補正が過剰になるのを抑制できる。さらに、下記条件式（４−１）を満足する構成とすれば、より良好な特性とすることができる。
１．４８＜ＮｄＬｂ３＜１．６６    （４）
１．５＜ＮｄＬｂ３＜１．６４    （４−１）
【００３８】
また、ファインダー１は、対物レンズ群２の焦点距離をｆＮ、第３レンズＬｂ３の焦点距離をｆ３とした場合、下記条件式（５）を満足することが好ましい。条件式（５）の対応値が下限以下とならないようにすることによって、対物レンズ群２の屈折力が強くなり過ぎないため、角倍率を十分に確保することが容易になる。条件式（５）の対応値が上限以上とならないようにすることによって、第３レンズＬｂ３の屈折力が強くなり過ぎないため、球面収差の補正が過剰になるのを抑制できる。さらに、下記条件式（５−１）を満足する構成とすれば、より良好な特性とすることができる。
０．０５＜ｆＮ／ｆ３＜０．２５    （５）
０．１＜ｆＮ／ｆ３＜０．２    （５−１）
【００３９】
ファインダー１が、観察光学系４の光路外に、観察光学系４とは別の光学系を備え、別の光学系の光路と観察光学系４の光路とを合成する光路合成部材５を対物レンズ群２と接眼レンズ群３との間に備える構成において、対物レンズ群２の焦点距離をｆＮ、対物レンズ群２の最も物体側の面から光路合成部材５の最も物体側の面までの光軸上の距離をＢＬとした場合、下記条件式（６）を満足することが好ましい。条件式（６）の対応値が下限以下とならないようにすることによって、対物レンズ群２の屈折力が強くなり過ぎないため、角倍率を十分に確保することが容易になる。条件式（６）の対応値が上限以上とならないようにすることによって、対物レンズ群２を構成するレンズの曲率半径の絶対値が大きくなるのを抑制でき、対物レンズ群２の屈折力が弱くなり過ぎないため、角倍率が過剰に大きくなることがなく、対物レンズ群２の径方向の小型化に有利となる。さらに、下記条件式（６−１）を満足する構成とすれば、より良好な特性とすることができる。
−５．５＜ｆＮ／ＢＬ＜−１．５    （６）
−５＜ｆＮ／ＢＬ＜−２    （６−１）
【００４０】
なお、図１では、光路合成部材５がハーフプリズムからなる例を示したが、光路合成部材５は光路を合成可能なものであればよく、これに限定されない。光路合成部材５は、ハーフミラーでもよい。入射光を反射光と透過光とに分割する膜を光路合成部材５が含む場合、反射光と透過光との分割比は１：１以外でもよい。
【００４１】
また、ファインダー１は、別の光学系を省略した構成も可能である。その場合は、観察光学系４は、対物レンズ群２と、接眼レンズ群３とからなるように構成してもよい。構成の簡素化のためには、観察光学系４が含む屈折力を有するレンズ群は、対物レンズ群２と、接眼レンズ群３とのみからなることが好ましい。
【００４２】
また、接眼レンズ群３は第１レンズＬｂ１〜第３レンズＬｂ３の３枚のレンズからなるが、対物レンズ群２は図１の例と異なる構成としてもよい。例えば、対物レンズ群２は１枚の負の屈折力を有するレンズからなるように構成してもよい。
【００４３】
条件式に関する構成も含め上述した好ましい構成および可能な構成は、任意の組合せが可能であり、要求される仕様に応じて適宜選択的に採用されることが好ましい。本開示によれば、視度調整機能を有しながらも、小型化および高角倍率を両立し、良好な光学性能を保持するファインダーを実現可能である。なお、ここでいう「高角倍率」は、０．５倍以上の角倍率を意味する。
【００４４】
次に、本開示のファインダーの実施例について説明する。以下に述べる実施例１〜５のファインダーは、対物レンズ群２と接眼レンズ群３の間に光路合成部材５が配置され、観察光学系および表示光学系を有する。
【００４５】
［実施例１］
実施例１のファインダーについて、観察光学系の断面構成を図２に示し、表示光学系の断面構成を図３に示す。図２および図３では、カバーガラスＣＧ１とアイポイントＥＰも図示している。表示光学系の光路は図１に示すように折れ曲がり光路であるが、理解を容易にするため図３では光路を展開した図を示す。
【００４６】
図２に示す観察光学系は、光路に沿って物体側からアイポイント側へ順に、対物レンズ群２と、光路合成部材５と、接眼レンズ群３とからなる。対物レンズ群２は、物体側からアイポイント側へ順に、２枚の負の屈折力を有するレンズＬａ１、Ｌａ２からなる。接眼レンズ群３は、物体側からアイポイント側へ順に、負の屈折力を有する第１レンズＬｂ１と、正の屈折力を有する第２レンズＬｂ２と、負の屈折力を有する第３レンズＬｂ３とからなる。視度調整の際には第２レンズＬｂ２のみが光軸Ｚに沿って移動する。以上が実施例１のファインダーの観察光学系の概要である。
【００４７】
図３に示す表示光学系は、光路に沿って表示素子側からアイポイント側へ順に、表示素子６と、カバーガラスＣＧ２と、素子側レンズ群７と、光路合成部材５と、接眼レンズ群３とからなる。素子側レンズ群７は、表示素子側から順に、正の屈折力を有するレンズＬｃ１と、負の屈折力を有するレンズＬｃ２と、正の屈折力を有するレンズＬｃ３とからなる。以上が実施例１のファインダーの表示光学系の概要である。
【００４８】
実施例１のファインダーの観察光学系について、基本レンズデータを表１に、可変面間隔を表２に、諸元を表３に、非球面係数を表４に示す。表１において、Ｓｎの欄には最も物体側の面を第１面としアイポイント側に向かうに従い１つずつ番号を増加させた場合の面番号を示し、Ｒの欄には各面の曲率半径を示し、Ｄの欄には各面とそのアイポイント側に隣接する面との光軸上の面間隔を示す。また、Ｎｄの欄には各構成要素のｄ線に対する屈折率を示し、νｄの欄には各構成要素のｄ線基準のアッベ数を示す。
【００４９】
表１では、物体側に凸面を向けた形状の面の曲率半径の符号を正、アイポイント側に凸面を向けた形状の面の曲率半径の符号を負としている。表１にはカバーガラスＣＧ１およびアイポイントＥＰも示している。表１では、アイポイントＥＰに相当する面の面番号の欄には面番号と（ＥＰ）という語句を記載している。また、表１では、光路合成部材５の内部の膜を１つの面として示している。
【００５０】
表１では、視度調整の際の可変面間隔についてはｄｄ［  ］という記号を用い、［  ］の中にこの間隔の物体側の面番号を付してＤの欄に記入している。表２に、各視度における可変面間隔の値を示す。表２のｄｐｔはディオプターを意味する。表３に、観察光学系の角倍率、および、見掛け視界を示す。表３の見掛け視界の単位は度である。
【００５１】
表１では、非球面の面番号には＊印を付しており、非球面の曲率半径の欄には近軸の曲率半径の数値を記載している。表４において、Ｓｎの欄には非球面の面番号を示し、ＫＡおよびＡｍの欄には各非球面についての非球面係数の数値を示す。なお、ｍは３以上の整数であり、面により異なり、例えば実施例１の非球面ではｍ＝４、６、８、・・・、２０である。表４の非球面係数の数値の「Ｅ±ｎ」（ｎ：整数）は「×１０±ｎ」を意味する。ＫＡおよびＡｍは下式で表される非球面式における非球面係数である。
Ｚｄ＝Ｃ×ｈ２／｛１＋（１−ＫＡ×Ｃ２×ｈ２）１/２｝＋ΣＡｍ×ｈｍ
ただし、
Ｚｄ：非球面深さ（高さｈの非球面上の点から、非球面頂点が接する光軸に垂直な平面に
下ろした垂線の長さ）
ｈ：高さ（光軸からレンズ面までの距離）
Ｃ：近軸曲率半径の逆数
ＫＡ、Ａｍ：非球面係数
であり、非球面式のΣはｍに関する総和を意味する。
【００５２】
各表のデータにおいて、角度の単位としては度を用い、長さの単位としてはｍｍ（ミリメートル）を用いているが、光学系は比例拡大又は比例縮小しても使用可能なため他の適当な単位を用いることもできる。また、以下に示す各表では所定の桁でまるめた数値を記載している。
【００５３】
【表１】
2020194127.tif 000003
【００５４】
【表２】
2020194127.tif 000004
【００５５】
【表３】
2020194127.tif 000005
【００５６】
【表４】
2020194127.tif 000006
【００５７】
同様に、実施例１のファインダーの表示光学系について、基本レンズデータを表５に、可変面間隔を表６に、非球面係数を表７に示す。表５では、表示素子６の光路合成部材５と逆側の面を第１面とし、アイポイント側に向かうに従い１つずつ番号が増加するように構成要素の面に面番号を付しており、カバーガラスＣＧ１およびアイポイントＥＰも示している。
【００５８】
【表５】
2020194127.tif 000007
【００５９】
【表６】
2020194127.tif 000008
【００６０】
【表７】
2020194127.tif 000009
【００６１】
図１２に視度が−１ディオプターの状態での実施例１の観察光学系の各収差図を示す。図１２では左から順に、球面収差、非点収差、歪曲収差、および倍率色収差を示す。球面収差図では、ｄ線、Ｃ線、およびＦ線における収差をそれぞれ実線、長破線、および短破線で示す。非点収差図では、サジタル方向のｄ線における収差を実線で示し、タンジェンシャル方向のｄ線における収差を短破線で示す。歪曲収差図ではｄ線における収差を実線で示す。倍率色収差図では、Ｃ線、およびＦ線における収差をそれぞれ長破線、および短破線で示す。球面収差図のφ＝８．０はアイポイントの直径が８．０ｍｍであることを意味し、その他の収差図のωは見掛け視界の半画角を意味する。球面収差図と非点収差図の横軸の単位はディオプターであり、倍率色収差図の横軸の単位は角度の分である。
【００６２】
上記の実施例１に関する各データの記号、意味、記載方法、および図示方法は、特に断りが無い限り以下の実施例においても同様であるので、以下では重複説明を省略する。
【００６３】
［実施例２］
実施例２のファインダーについて、観察光学系の断面構成を図４に示し、表示光学系の断面構成を図５に示し、視度が−１ディオプターの状態での観察光学系の各収差図を図１３に示す。実施例２のファインダーの観察光学系は、観察光学系の対物レンズ群２が１枚の負の屈折力を有するレンズＬａ１のみからなる点以外は、実施例１のファインダーの観察光学系の概要と同様の構成を有する。実施例２のファインダーの表示光学系は、実施例１のファインダーの表示光学系の概要と同様の構成を有する。実施例２のファインダーの観察光学系について、基本レンズデータを表８に、可変面間隔を表９に、諸元を表１０に、非球面係数を表１１に示す。実施例２のファインダーの表示光学系について、基本レンズデータを表１２に、可変面間隔を表１３に、非球面係数を表１４に示す。
【００６４】
【表８】
2020194127.tif 000010
【００６５】
【表９】
2020194127.tif 000011
【００６６】
【表１０】
2020194127.tif 000012
【００６７】
【表１１】
2020194127.tif 000013
【００６８】
【表１２】
2020194127.tif 000014
【００６９】
【表１３】
2020194127.tif 000015
【００７０】
【表１４】
2020194127.tif 000016
【００７１】
［実施例３］
実施例３のファインダーについて、観察光学系の断面構成を図６に示し、表示光学系の断面構成を図７に示し、視度が−１ディオプターの状態での観察光学系の各収差図を図１４に示す。実施例３のファインダーは、実施例１のファインダーの観察光学系および表示光学系それぞれの概要と同様の構成を有する。実施例３のファインダーの観察光学系について、基本レンズデータを表１５に、可変面間隔を表１６に、諸元を表１７に、非球面係数を表１８に示す。実施例３のファインダーの表示光学系について、基本レンズデータを表１９に、可変面間隔を表２０に、非球面係数を表２１に示す。
【００７２】
【表１５】
2020194127.tif 000017
【００７３】
【表１６】
2020194127.tif 000018
【００７４】
【表１７】
2020194127.tif 000019
【００７５】
【表１８】
2020194127.tif 000020
【００７６】
【表１９】
2020194127.tif 000021
【００７７】
【表２０】
2020194127.tif 000022
【００７８】
【表２１】
2020194127.tif 000023
【００７９】
［実施例４］
実施例４のファインダーについて、観察光学系の断面構成を図８に示し、表示光学系の断面構成を図９に示し、視度が−１ディオプターの状態での観察光学系の各収差図を図１５に示す。実施例４のファインダーは、実施例１のファインダーの観察光学系および表示光学系それぞれの概要と同様の構成を有する。実施例４のファインダーの観察光学系について、基本レンズデータを表２２に、可変面間隔を表２３に、諸元を表２４に、非球面係数を表２５に示す。実施例４のファインダーの表示光学系について、基本レンズデータを表２６に、可変面間隔を表２７に、非球面係数を表２８に示す。
【００８０】
【表２２】
2020194127.tif 000024
【００８１】
【表２３】
2020194127.tif 000025
【００８２】
【表２４】
2020194127.tif 000026
【００８３】
【表２５】
2020194127.tif 000027
【００８４】
【表２６】
2020194127.tif 000028
【００８５】
【表２７】
2020194127.tif 000029
【００８６】
【表２８】
2020194127.tif 000030
【００８７】
［実施例５］
実施例５のファインダーについて、観察光学系の断面構成を図１０に示し、表示光学系の断面構成を図１１に示し、視度が−１ディオプターの状態での観察光学系の各収差図を図１６に示す。実施例５のファインダーは、実施例１のファインダーの観察光学系および表示光学系それぞれの概要と同様の構成を有する。実施例５のファインダーの観察光学系について、基本レンズデータを表２９に、可変面間隔を表３０に、諸元を表３１に、非球面係数を表３２に示す。実施例５のファインダーの表示光学系について、基本レンズデータを表３３に、可変面間隔を表３４に、非球面係数を表３５に示す。
【００８８】
【表２９】
2020194127.tif 000031
【００８９】
【表３０】
2020194127.tif 000032
【００９０】
【表３１】
2020194127.tif 000033
【００９１】
【表３２】
2020194127.tif 000034
【００９２】
【表３３】
2020194127.tif 000035
【００９３】
【表３４】
2020194127.tif 000036
【００９４】
【表３５】
2020194127.tif 000037
【００９５】
表３６に実施例１〜５のファインダーの条件式（１）〜（６）の対応値を示す。実施例１〜５はｄ線を基準波長としている。表３６にはｄ線基準での値を示す。
【００９６】
【表３６】
2020194127.tif 000038
【００９７】
以上のデータからわかるように、実施例１〜５のファインダーは、視度調整が可能であり、小型に構成され、高い角倍率を有し、諸収差が良好に補正されて高い光学性能を実現している。
【００９８】
次に、本発明の実施形態に係る撮像装置について説明する。図１７は、本発明の撮像装置の一実施形態に係るカメラ１００の背面側の概略構成を示す斜視図である。カメラ１００は、カメラボディ１０２の上部に本発明の一実施形態に係るファインダー１０１と、視度調整を行うための視度調整ダイヤル１０７とを備える。ファインダー１０１は上述した観察光学系および表示光学系を備えている。
【００９９】
カメラ１００は、カメラボディ１０２の背面に、各種設定を行うための操作ボタン１０３と、変倍を行うためのズームレバー１０４と、画像および各種設定画面を表示するモニタ１０６とを備え、カメラボディ１０２の上面にシャッターボタン１０５を備える。また、カメラ１００は、カメラボディ１０２の前面に撮像レンズ（不図示）を備え、カメラボディ１０２の内部に撮像レンズによって形成された被写体像を撮像する撮像素子（不図示）を備える。撮像素子によって撮像された被写体像は、ファインダー１０１が有する表示素子（図１７では不図示）によって表示される。
【０１００】
カメラ１００は、観察光学系によって得られる光学像を観察可能な光学ビューファインダー機能と、表示素子によって表示される像を観察可能な電子ビューファインダー機能とを有する。また、カメラ１００においては、光学像の上に、表示素子によって表示される像の少なくとも一部を重畳した像を観察することも可能である。
【０１０１】
なお、図１７ではカメラ１００に内蔵されたファインダーの例を示したが、本開示の技術は外付けファインダーに適用することも可能である。また、本開示の実施形態に係る撮像装置についても、上記例に限定されず、例えばビデオカメラ等、種々の態様とすることができる。
【０１０２】
以上、実施形態および実施例を挙げて本開示の技術を説明したが、本開示の技術は上記実施形態および実施例に限定されず、種々の変形が可能である。例えば、各レンズの曲率半径、面間隔、屈折率、アッベ数、および非球面係数等は、上記各実施例で示した値に限定されず、他の値をとり得る。
【符号の説明】
【０１０３】
１、１０１  ファインダー
２  対物レンズ群
３  接眼レンズ群
４  観察光学系
５  光路合成部材
６  表示素子
７  素子側レンズ群
１００  カメラ
１０２  カメラボディ
１０３  操作ボタン
１０４  ズームレバー
１０５  シャッターボタン
１０６  モニタ
１０７  視度調整ダイヤル
ＣＧ１、ＣＧ２  カバーガラス
ＥＰ  アイポイント
Ｌａ１、Ｌａ２、Ｌｃ１、Ｌｃ２、Ｌｃ３  レンズ
Ｌｂ１  第１レンズ
Ｌｂ２  第２レンズ
Ｌｂ３  第３レンズ
Ｚ  光軸
【図１】
2020194127.tif 000039
【図２】
2020194127.tif 000040
【図３】
2020194127.tif 000041
【図４】
2020194127.tif 000042
【図５】
2020194127.tif 000043
【図６】
2020194127.tif 000044
【図７】
2020194127.tif 000045
【図８】
2020194127.tif 000046
【図９】
2020194127.tif 000047
【図１０】
2020194127.tif 000048
【図１１】
2020194127.tif 000049
【図１２】
2020194127.tif 000050
【図１３】
2020194127.tif 000051
【図１４】
2020194127.tif 000052
【図１５】
2020194127.tif 000053
【図１６】
2020194127.tif 000054
【図１７】
2020194127.tif 000055